(57)【特許請求の範囲】
【請求項１】
左右側縁を立ち上げた縦葺き外装材を、保持部材と、キャップ材とを用いて施工した縦葺き外装構造であって、
前記縦葺き外装材は、面板部の左右の側縁を立ち上げた側縁成形部を備え、
前記保持部材は、縦片部と、この縦片部の上端に設けられて前記側縁成形部を保持する保持部と、キャップ材を係合させる被係合部とを有し、前記保持部は、複数の円弧状の突出部分を備え、
前記キャップ材は、板材からなる成形体であって、左右の脚片が前記縦葺き外装材の面板部に上方から押圧するように当接する当接部を備え、
隣り合う縦葺き外装材の対向させた側縁成形部の外側から前記保持部材の保持部を押圧状に接することにより下地に取り付け、対向させた側縁成形部に跨るようにキャップ材を配して保持部材に係合させ、キャップ材の当接部を縦葺き外装材の面板部に面接触させると共に、その内側に隅部空間が形成されることを特徴とする縦葺き外装構造。
【請求項２】
縦葺き外装材の当接部分と側縁成形部との間に凹状溝が形成されて隅部空間が拡大されていることを特徴とする請求項１に記載の縦葺き外装構造。
【請求項３】
縦葺き外装材の面板部に隆起部が形成され、該隆起部にてキャップ材の脚片と当接していることを特徴とする請求項１又は２に記載の縦葺き外装構造。
【発明の詳細な説明】
【技術分野】
【０００１】
本発明は、強風作用時にキャップ材が左右に傾いて外れたりすることがなく、また雨水の浸入を生ずることがない縦葺き外装構造に関する。
【背景技術】
【０００２】
縦葺き式の各種の外装材の側縁を立ち上げ、その側縁間に跨るようにキャップ材を取り付け、その外装材の側縁への雨水の浸入を防止する構造は様々な態様にて広く施工されている。
【０００３】
例えば特許文献１には、直立部４の上端を内方へ折曲すると共にその下端（下端曲成部６）を折り返し状に折曲した屋根板材２（＝外装材）と、略略Ｕ字状の覆い部の左右の下端に円弧状の係合部（円弧部１０）を形成した連結材８（＝キャップ材）からなり、外装材の下端曲成部６とキャップ材の円弧部１０とを係合させてなる屋根板装置が開示されている。
特許文献２には、金属製屋根板１（＝外装材）の側縁にアール状のコーナー８を設け、さらに垂直状に形成した上端に立ハゼ２を設け、この外装材の立ハゼ２を吊り子３のハゼ止め部５に係合させ、略Ω形状に形成したキャップ式金属瓦棒４（＝キャップ材）の脚片をコーナー８に接触させるように嵌め込んだ金属瓦棒屋根が開示されている。
【特許文献１】特許第２５６２４１１号公報（図１）
【特許文献２】実用新案登録第２５２０２５９号公報（図１）
【発明の開示】
【発明が解決しようとする課題】
【０００４】
しかしながら、前記特許文献１の構造では、屋根板材２（＝外装材）の下端曲成部６と連結材８（＝キャップ材）の円弧部１０との係合位置が外装材の面板部より高く位置しているため、無風時などには面板部を流れる雨水はキャップ材の裏面側には浸入しにくいものの、キャップ材が左右に傾いて外れたりしやすかった。また、例えば左右方向から強風が作用した場合などにキャップ材が傾斜すると、一方側の脚片が沈み、他方側の脚片が浮き上がるため、浮き上がった側の脚片から雨水が浸入しやすいという問題があった。
さらに、前記特許文献２の構造では、キャップ式金属瓦棒４（＝キャップ材）の脚片がアール状に成形され、金属製屋根板１（＝外装材）のアール状のコーナー８と重合状に接しているため、例えば左右方向から強風が作用した場合などにもキャップ材の左右の傾斜は防止されるものの、面板部を流れる雨水が、脚片と立上り部との隙間から毛細管作用により浸入しやすいという問題があった。
【０００５】
そこで、本発明は、強風作用時にキャップ材が左右に傾いて外れたりすることがなく、また雨水の浸入を生ずることがない縦葺き外装構造を提案することを目的とする。
【課題を解決するための手段】
【０００６】
本発明は、上記に鑑み提案されたものであって、左右側縁を立ち上げた縦葺き外装材を、保持部材と、キャップ材とを用いて施工した縦葺き外装構造であって、前記縦葺き外装材は、面板部の左右の側縁を立ち上げた側縁成形部を備え、前記保持部材は、縦片部と、この縦片部の上端に設けられて前記側縁成形部を保持する保持部と、キャップ材を係合させる被係合部とを有し、前記保持部は、複数の円弧状の突出部分を備え、前記キャップ材は、板材からなる成形体であって、左右の脚片が前記縦葺き外装材の面板部に上方から押圧するように当接する当接部を備え、隣り合う縦葺き外装材の対向させた側縁成形部の外側から前記保持部材の保持部を押圧状に接することにより下地に取り付け、対向させた側縁成形部に跨るようにキャップ材を配して保持部材に係合させ、キャップ材の当接部を縦葺き外装材の面板部に面接触させると共に、その内側に隅部空間が形成されることを特徴とする縦葺き外装構造に関するものである。
【０００７】
また、本発明は、前記縦葺き外装構造において、縦葺き外装材の当接部分と側縁成形部との間にて凹状溝が形成されて隅部空間が拡大されていることを特徴とする縦葺き外装構造をも提案する。
【０００８】
さらに、本発明は、前記縦葺き外装構造において、縦葺き外装材の面板部に隆起部が形成され、該隆起部にてキャップ材の脚片と当接していることを特徴とする縦葺き外装構造をも提案する。
【発明の効果】
【０００９】
本発明の縦葺き外装構造は、キャップ材の脚片が縦葺き外装材の面板部に当接すると共に、その内側（縦葺き外装材としては外側）に隅部空間が形成されているので、例えば左右方向から強風が作用しても、左右の当接部が面板部に当接（接地）しているため、キャップ材が左右に傾くことがなく、安定した係合状態となり、また毛細管作用による雨水の浸入を生ずることもない。
【００１０】
また、縦葺き外装材の当接部分と側縁成形部との間に凹状溝が形成されて隅部空間が拡大されている縦葺き外装構造では、毛細管作用による雨水の浸入をより確実に防止することができ、また仮に当接部分から内側に雨水が浸入しても、隅部空間にて水下側へより確実に流下させることができる。
【００１１】
さらに、縦葺き外装材の面板部に隆起部が形成され、該隆起部にてキャップ材の脚片と当接している縦葺き外装構造では、面板部を流れる雨水が隆起部の内側を水下側へ流下するため、側縁に雨水が集まることを防止することができる。
【発明を実施するための最良の形態】
【００１２】
本発明の左右側縁を立ち上げた縦葺き外装材を用いた縦葺き外装構造に用いられる（Ａ）縦葺き外装材、（Ｂ）保持部材、（Ｃ）キャップ材の各部材について説明する。
【００１３】
（Ａ）縦葺き外装材
縦葺き外装材は、面板部の左右の側縁を立ち上げた側縁成形部を備える構成であり、この側縁成形部は、後述する保持部材にて下地に取り付けられるものであれば、保持部材の構成に応じて適宜に形成すればよく、例えば後述する図示実施例に示されるように単なる起立片状でもよく、特に限定するものではない。
また、縦葺き外装材は、後述するキャップ材を配設した状態で、その当接部分の外側に（キャップ材としては内側）に隅部空間が形成される構成であり、この隅部空間は、後述するキャップ材の形状に応じて適宜に形成すればよく、例えば後述する図示実施例に示されるように単なる直角状の隅部でもよく、特に限定するものではない。
【００１４】
さらに、縦葺き外装材は、後述するキャップ材の当接部分と側縁成形部との間に凹状溝が形成されていることが好ましい。この凹状溝は、前記隅部空間を拡大するものであり、特にその形状を限定するものではない。
【００１５】
また、縦葺き外装材は、面板部に隆起部が形成され、該隆起部にて後述するキャップ材の脚片と当接していることが好ましい。この隆起部は、その内側に雨水が流れる凹状の流水部分を形成するものであって、この隆起部から側縁成形部側に雨水が集中することを防止することができる。
【００１６】
（Ｂ）保持部材
保持部材は、隣り合う前記縦葺き外装材の対向させた側縁成形部を下地に取り付けるものであり、後述するキャップ材を係合させる構成を備えるものである。
「隣り合う前記縦葺き外装材の対向させた側縁成形部を下地に取り付ける」構成とは、下地への固定部と側縁成形部を保持する保持部とを併せ持つということである。
また、「キャップ材を係合させる構成」とは、キャップ材の係合部に対する被係合部を備えるということである。即ち保持部材は、下地への固定部と、側縁成形部を保持する保持部と、キャップ材を係合させる被係合部とを有する構成であり、後述する図示実施例のように単一部材で構成されるものでも、或いは複数部材を組み合わせて構成されるものでもよい。
さらに、この保持部材は、予め所定の形状に成形したものを下地に固定するものでも、或いは後述する図示実施例のように下地に固定した保持部材に縦葺き外装材を臨ませ、その後に保持部材の一部を変形させて縦葺き外装材の側縁成形部を保持するようにしてもよい。即ち保持部は、縦葺き外装材の配設以前に形成しておくものでも縦葺き外装材の配設後に変形させて形成するものでもよい。
【００１７】
前記保持部材を固定する下地は、木造、鉄骨造、コンクリート造等、釘、ビス、アンカー等の固定具が取付可能な全ての建築躯体を用いることができ、前記躯体上に断熱その他の必要に応じて敷設する木毛セメント板等のボード類を含む。
【００１８】
（Ｃ）キャップ材
キャップ材は、隣り合う前記縦葺き外装材の対向させた側縁成形部に跨るように配して前記保持部材に係合させるものであって、左右の脚片が縦葺き外装材の面板部に当接するものであり、さらには当接部分の内側に隅部空間が形成されるものである。
「隣り合う前記縦葺き外装材の対向させた側縁成形部に跨るように配して前記保持部材に係合させる」構成とは、左右の側縁成形部間を覆う覆い部を備え、前記保持部材の被係合部に係合させる係合部を備えるということである。
また、「左右の脚片が縦葺き外装材の面板部に当接する」構成とは、キャップ材の敷設状態において左右の脚片（の下端）が面板部に上方から押圧するように当接する当接部を備えるということである。特に当接部を、縦葺き外装材の面板部に面状に沿うようにすることにより、面接触させることが望ましい。例えば当接部が面板部に線接触する場合には、当接部が面板部から僅かに離反した隙間に風が内部に吹き込み、キャップ材を吹き飛ばす事故を引き起こす恐れがあるが、面接触させることにより、側方からの強風はむしろ下方へ押さえ付ける作用を果たすからである。
さらに、「当接部分の内側に隅部空間が形成される」という構成は、既に前記（Ａ）縦葺き外装材の項にて説明したように、キャップ材を配設した状態で、その当接部分の内側（縦葺き外装材としては外側）に隅部空間が形成される構成である。そして、この隅部空間は、前記縦葺き外装材の形状に応じて適宜に形成すればよく、例えば後述する図示実施例に示されるように単なる傾斜片状でもよく、特に限定するものではない。
【００１９】
これらの各部材から施工される本発明の縦葺き外装構造は、キャップ材の脚片が縦葺き外装材の面板部に当接すると共に、その内側に隅部空間が形成されているので、例えば左右方向から強風が作用してもキャップ材が左右に傾いて外れたりすることがなく、また毛細管作用による雨水の浸入を生ずることもない。
【実施例】
【００２０】
図１、厳密には同図（ａ），（ｅ）は、本発明を、縦平葺きの縦葺き外装材（以下、単に外装材という）１を用いた縦葺き外装構造に適用した例であり、この実施例における各部材（外装材１、保持部材２、キャップ材３）を同図（ｂ）〜（ｄ）に示した。
【００２１】
外装材１は、図１（ｂ）に示すように略水平面状の面板部１１の左右の側縁を略垂直状に立ち上げて起立片状の側縁成形部１２，１２を形成した極めて簡易な構成である。
この外装材１は、流れ方向に連続する通し材でもよいし、定尺の外装材を公知の連結構造を用いて接続したものでもよく、表面化粧鋼板、ラミネート鋼板、メッキ鋼板、ステンレス鋼板、アルミ合金板、チタン合金板、銅板、真鍮板、鉛板等の公知の金属素材、炭素繊維積層板、硬質樹脂板等より成形され、素材が金属板の場合にはロール成形、或いはプレス成型、或いは両者の組合せにより成形（成型）される。素材が非金属素材の場合には、主に型成型により成型される。また、その素材厚は特に限定するものではないが、概ね０．４乃至１．６ｍｍ程度である。
【００２２】
保持部材２は、図１（ｃ）に示すように略Ｌ字状の横片に相当する下地４への固定部２１（２２はビス等の固定具）と、縦片に相当する縦片部２３と、この縦片部２３の上端に設けられて前記外装材１，１の側縁成形部１２，１２を保持する保持部２４，２４と、キャップ材３を係合させる被係合部２５，２５とを有する構成である。
この保持部材２は、短尺なピース材であっても長尺であってもよく、後述する図２にて詳細に説明するが、下地４に固定した保持部材２に外装材１を臨ませ、その後に保持部材２の一部を変形させて（＝保持部２４を形成する）外装材１の側縁成形部１２を保持するものであり、前記変形を可能とする素材であれば特に限定するものではないが、例えば前記外装材１と同様の素材にて形成してもよい。或いは予め所定の形状に成形したものとする場合には、アルミや硬質樹脂による押出成形品、メッキ鋼板、ステンレス鋼板等のプレス加工品及びセラミック等より形成すればよい。
尚、下地４としては野地材の表面に所定厚みの合板を配したものを用いた。
【００２３】
キャップ材３は、図１（ｄ）に示すように前記左右の側縁成形部１２，１２間を覆う逆Ｖ字状の覆い部３１と、前記保持部材２の被係合部２５，２５に係合させる内向き略く字状の係合部３２，３２と、キャップ材３の敷設状態において左右の傾斜片状の脚片３３と、を有する構成である。この脚片３３の下端には、前記外装材１の面板部１１に当接する当接部３３１が形成され、この当接部３３１は、図示実施例では面板部１１方向に延在する面状（面部）である。
このキャップ材３は、前記外装材１と同様に流れ方向に連続する通し材でもよいし、定尺の外装材を公知の連結構造を用いて接続したものでもよく、前記外装材１と同様の素材にて形成すればよい。
尚、前記外装材１は面板部１１の側縁を略垂直状に立ち上げて側縁成形部１２を形成したのに対し、このキャップ材３の脚片３３は傾斜片状であるため、両部材（１，３）の間には、脚片３３の下端である当接部３３１の内側（外装材１としては外側）に隅部空間３４が形成されるものとなる。また、キャップ材３の覆い部３１の頂部内面には、不定形の弾性材兼止水材３５を配した。この弾性材兼止水材３５は、単なる弾性材でも単なる止水材でもよいが、弾性と止水性を併せ持つ材料が好ましく、定形のものでも不定形のものでもよい。
【００２４】
次に、前記部材を施工する手順について説明する。
まず、下地４上の所定位置に、保持部材２を配してその固定部２１を固定具２２にて固定する。
続いて、保持部材２の縦片部２３を挟んで左右に外装材１，１を配し、それぞれの側縁成形部１２，１２を対向状に臨ませる。
その後、保持部材２の縦片部２３の上方部分を折曲して左右の外装材１，１の側縁成形部１２，１２を保持する。即ち保持部２４，２４を形成する。
最後に、予め頂部内面に弾性材兼止水材３５を配したキャップ材３を、対向させた側縁成形部１２，１２に跨るように配して係合部３２，３２を保持部材２の被係合部２５，２５に係合させ、キャップ材３の脚片３３，３３の下端（面状の当接部３３１，３３１）を外装材１，１の面板部１１，１１に当接（面接触）させる。この当接部３３１，３３１の内側には、隅部空間３４，３４が形成される。
【００２５】
これらの各部材（外装材１、保持部材２、キャップ材３）から施工される本発明の縦葺き外装構造は、キャップ材３の脚片３３（当接部３３１）が外装材１の面板部１１に当接しているので、例えば左右方向から強風が作用しても、左右の当接部３３１が面板部１１に安定に当接（接地）する状態が維持され、キャップ材３が左右に傾くことさえもない。特に図示実施例の当接部３３１は、面板部１１方向に延在する面状（面部）であって、この面状の当接部３３１と面板部１１は面接触するので、側方から強風が吹いても、むしろ強風が下方へ押さえ付ける作用を果たし、キャップ材３の内部への風の吹き込みが生ずることがなく、安定した係合状態が維持される。例えばキャップ材の下端が面板部に対して線接触しているだけでは、左右の何れか一方の当接部が面板部から僅かに浮き上がって離反した隙間に風が内部に吹き込み、内部に設けられた空間はむしろ風を受け止めてキャップ材を吹き飛ばす事故を引き起こす恐れがある。
また、当接部３３１の内側（外装材１としては外側）には隅部空間３４が形成されているので、当接部３３１の内側に毛細管作用による雨水の浸入を生ずることもないし、仮に隅部空間３４に雨水が浸入してもこの隅部空間３４内を水下側へ流下する。
【００２６】
図示実施例では、キャップ材３の頂部内面に弾性材兼止水材３５を配したので、保持部材２の保持部２４，２４の上端を押圧して外装材１の側縁成形部の上端に押し付ける作用を果たすと共に、（保持部材２の被係合部２５と）係合部３２，３２の係合がより強固になる。
【００２７】
図２に示される保持部材２'（施工完了以前の保持部材を２０'とする）は、前記図１における保持部材２とほぼ同様であり、略Ｌ字状の横片が固定部２１、縦片が縦片部２３であり、固定部２１には、長さ方向の略中央に、ビス等の固定具２２を挿通させるための孔２１１が設けられている。縦片部２３の上方部分は長さ方向の略中央で二分割され、断面が連続丸波状となる加工が施され、該丸波部分を符号２０４とし、該丸波部分２０４の側縁に略三角状の折部２０５が設けられている。この縦片部２３の上方部分は、施工に際して図２（ｄ）に点線矢印にて示すように相異なる方向へ折曲される。
図２（ｅ），（ｆ）は、前記丸波部分２０４、折部２０５をそれぞれ折曲して保持部２４、被係合部２５とする状況を示す拡大断面図であり、この例における外装材１'については、後述する図３の実施例にて詳細に説明する。
【００２８】
図２（ｅ）は、前記図２（ａ）〜（ｃ）に示される保持部材２０'を、下地４上の所定位置に配して固定した後、左右に外装材１'，１'を配し、それぞれの側縁成形部１２，１２を対向状に臨ませた状態である。同図における点線矢印は、保持部材２０'の丸波部分２０４を折曲する方向を示しており、前述のように二分割された丸波部分２０４の一方を左方側へ、他方を右方側へ折曲した状態が図２（ｆ）である。
図２（ｆ）では、折曲された丸波部分２０４，２０４（保持部２４，２４）が、左右の外装材１，１の側縁成形部１２，１２を外側から押圧状に保持する。折部２０５，２０５は予め外側へ折り曲げておいてもよく、丸波部分２０４，２０４の折曲に伴って被係合部２５，２５となる。
【００２９】
このように保持部２４を連続丸波状となる加工を施した丸波部分２０４にて形成したので、平板状の縦面である側面成形部１２に複数の円弧状の突出部分が外側から押圧状に接するため、安定な保持状態を得ることができる。これに対し、例えば保持部２４を単なる平板状の縦片とした場合には、それぞれ平板状の側面成形部１２と被係合部２４が接面状に当接する必要があるが、そのうちの何れかが僅かに傾斜したり変形するだけで充分な保持が得られない。
【００３０】
図３は、前記図２（ｅ），（ｆ）にも用いた外装材１'を外装面をする縦葺き外装構造を示す実施例であって、この外装材１'は、面板部１１の端部、即ち側面成形部１２の基端に下方へ窪む凹状溝１３，１３が設けられ、さらにはその外側に上方へ隆起する隆起部１４，１４が設けられ、この隆起部１４にキャップ材３'の当接部３３１'が当接する構成であり、その他の構成については、前記図１の実施例における部材とほぼ同様であるから、同一符号を付して説明を省略する。
【００３１】
この実施例では、前記のように凹状溝１３が形成されているため、前記図１の実施例における凹状溝１３が形成されない場合の隅部空間３４に比べて拡大した隅部空間３４'となっている。
そのため、この実施例では、毛細管作用による雨水の浸入をより確実に防止することができ、また仮に当接部３３１'から内側に雨水が浸入しても、隅部空間３４'にて水下側へより確実に流下させることができる。
さらに、キャップ材３'の当接部３３１'は、前記図１の実施例における当接部３３１に比べて面板部１１方向により長く延在する形状（より広い面状、より広幅の面部）であって、前記図１の実施例と同様に、側方から強風が吹いても、むしろ強風が下方へ押さえ付ける作用を果たし、キャップ材３'の内部への風の吹き込みが生ずることがなく、安定した係合状態が維持される。また、前記図１の実施例と同様に、隅部空間３４'内が減圧状態になることがなく、雨水を内部に導くことがない。
【００３２】
また、この実施例では、前記のように隆起部１４が形成されて当接部３３１'と当接しているため、面板部１１の隆起部１４の内側（流水部分１５）は一段低いレベルに位置してこの部分を雨水が水下側へ流下する。尚、図示実施例では、面板部１１の略中央にも第二隆起部１４'を設けたので、隆起部１４〜第二隆起部１４'間が流水部分１５となる。
そのため、この実施例では、面板部１１を流れる雨水が流水部分１５を水下側へ流下するため、雨水が側縁に集まることを防止することができる。
【図面の簡単な説明】
【００３３】
【図１】（ａ）本発明の縦葺き外装構造の一実施例の要部を示す拡大正面図、（ｂ）それに用いる縦葺き外装材を示す拡大正面図、（ｃ）それに用いる保持部材を示す拡大正面図、（ｄ）それに用いるキャップ材を示す拡大正面図、（ｅ）縦葺き外装構造の全体を示す正面図である。
【図２】（ａ）本発明に用いる保持部材の他の例を示す平面図、（ｂ）正面図、（ｃ）側面図、（ｄ）保持部を形成するための折曲方向を示す平面図、（ｅ）保持部材及び縦葺き外装材を配した状態を示す拡大正面図、（ｆ）保持部材により縦葺き外装材を保持した状態を示す拡大正面図である。
【図３】（ａ）本発明の縦葺き外装構造の他の一実施例の要部を示す拡大正面図、（ｂ）それに用いる縦葺き外装材及び保持部材を示す拡大正面図、（ｃ）縦葺き外装構造の全体を示す正面図、（ｄ）それに用いる縦葺き外装材を示す正面図である。
【符号の説明】
【００３４】
１，１'  （縦葺き）外装材
１１  面板部
１２  側面成形部
１３  凹状溝
１４  隆起部
２，２'  保持部材
２１  固定部
２４  保持部
２５  被係合部
３，３'  キャップ材
３１  覆い部
３２  係合部
３３  脚片
３３１，３３１'  当接部
３４，３４'  隅部空間
４  下地
【図１】
0005435321.tif 000002
【図２】
0005435321.tif 000003
【図３】
0005435321.tif 000004